(57)【要約】【課題】  複数の接続端子を備えたハウジングとこのハウジングのシールドをするシールド部材とからなるレセプタクルにおいて、プラグを強く押し込んでもハウジングがシールド部材から抜け出ないストッパをシールド部材に取り付けたレセプタクルを提供する。【解決手段】  レセプタクルは、プラグを嵌合させたときに、該プラグに設けてある接触端子と電気的な接続をする接続端子を備えたハウジングと、前記ハウジングの外周を覆うように形成されたシールド部材と、からなるレセプタクルであって、前記プラグが嵌合する空間の最奥部に、前記シールド部材の一部を、前記プラグの差込み方向に対して反対方向から臨ませて配置したことである。【選択図】図１
2006302821.tif 000002
【特許請求の範囲】
【請求項１】
プラグを嵌合させたときに、該プラグに設けてある接触端子と電気的な接続をする接続端子を備えたハウジングと、前記ハウジングの外周を覆うように形成されたシールド部材と、からなるレセプタクルであって、
前記プラグが嵌合する空間の最奥部に、前記シールド部材の一部をＵ字状に折り返した部位を、前記プラグの差込み方向に対して反対方向から臨ませて配置したことを特徴とするレセプタクル。
【請求項２】
前記プラグの差込み方向に対して反対方向から臨ませて配置してあるシールド部材の一部をＵ字状に折り返した部位は、前記プラグの先端に当接してストッパの機能を有することを特徴とする請求項１に記載のレセプタクル。
【発明の詳細な説明】
【技術分野】
【０００１】
本発明は、レセプタクルに関し、詳しくは携帯電話用の角型コネクタの構造に関するもので、プラグ嵌合時の押込みによるレセプタクルハウジング自身の抜けを防止する為にシールド部材の一部を利用してストッパの機能を持たせた構造のレセプタクルに関する。
【背景技術】
【０００２】
従来技術におけるレセプタクルは、図８乃至図１３に示すように、直方体形状に形成され金属性部材で形成されたシールド部材１１１と、このシールド部材１１１で覆われ複数の接続端子１２３(図１０及び図１３参照)を備えたハウジング１２１とからなる。
【０００３】
シールド部材１１１は、金属性板部材を空洞の直方体形状に形成したもので、長手方向両端部の下部位置に舌状に形成した一対のシールド係止爪１１２ａ、１１２ｂと、頂面にプラグを係止するための小窓からなる一対のプラグ係止窓１１３ａ、１１３ｂと、長手方向一方端部の上部にハウジングを係止するための舌状に形成した一対の第１ハウジング係止爪１１４ａ、１１４ｂと、側壁面から後方方向に突出して舌状に形成された一対の第２ハウジング係止爪１１５ａ、１１５ｂと、から大略構成されている。
【０００４】
ハウジング１２１は、絶縁性の樹脂で形成され、略直方体形状に形成され直方体形状のシールド部材１１１に差し込み収納できる大きさに形成された本体１２２と、本体１２２の両端部縁においてシールド部材１１１と当接する当接部１２６ａ、１２６ｂを設け、下部位置が図示しない基板に係合する突部１２７ａ、１２７ｂを備えた支柱部１２８ａ、１２８ｂと、本体１２２の一方端部略中央位置から長手方向に沿って鉛直状に突出して形成され、下部面に接続端子１２３を臨まして配設した端子受部１２４(図１３参照)と、から大略構成されている。
【０００５】
このような構成からなるハウジング１２１及びシールド部材１１１を組み合わせたレセプタクルは、先ずハウジング１２１の本体１２２を端子受部１２４を前にしてシールド部材１１１の中にシールド部材１１１の端部が当接部１２６ａ、１２６ｂに当接する位置まで押し込んで収納させる(図８、図９及び図１３参照)。この状態で、シールド部材１１１に設けた第１ハウジング係止爪１１４ａ、１１４ｂを下方向に折り曲げ、第２ハウジング係止爪１１５ａ、１１５ｂを互いに向き合う方向に折り曲げることで、ハウジング１２１にシールド部材１１１が係合係止した状態になる。
【０００６】
次に、プラグについて説明する。プラグ４０は、図７に示すように、シールド部材１１１で覆われたハウジング１２１の端子受部１２４（図１０、図１３参照）に嵌合できる大きさに形成した前方側が開口の嵌合部４１と、嵌合部４１を支持する連設した基部４２とからなる。
【０００７】
嵌合部４１は、その下部両端部に切欠いたガイド溝４３を備え、その頂面にシールド部材１１１のプラグ係止窓１１３ａ、１１３ｂに係合して抜け止めを兼ねたロック部材４４ａ、４４ｂを備え、内部にハウジング１２１の端子受部１２４が挿入して係合できる大きさの係合穴４５を設けた構造となっている。
この係合穴４５の下端部には、奥行きに平行に配設した接触端子４６を備えた構造となっている。
【０００８】
このような構造をしたプラグ４０をレセプタクルに差し込むと、シールド部材１１１で覆われたハウジング１２１の端子受部１２４に係合穴４５が嵌合して挿入する。そして、ロック部材４４ａ、４４ｂがシールド部材１１１のプラグ係止窓１１３ａ、１１３ｂに係合するまで押し込むことで差し込みは完了する。この状態のときには、図１３に示すように、プラグ４０の嵌合部先端は、ハウジング１２１の本体１２２の側壁面に臨んだ状態で対峙、或いは当接した状態になる。
【０００９】
【特許文献１】特開平１０−１３４８６６号公報（第３頁〜４頁、第１図）
【発明の開示】
【発明が解決しようとする課題】
【００１０】
しかしながら、上記背景技術の項で説明した従来技術のレセプタクルにおいて、レセプタクルにプラグを差し込んだときに、ハウジングを介してシールド部材の曲げ部分（ハウジング係止爪）に力が加わるため、プラグをある強度以上の力で押し込んだときに、ハウジングがシールド部材の曲げ部分を押し戻し、最悪な場合、ハウジングがシールド部材から抜けてしまうという問題がある。
【００１１】
従って、レセプタクルにプラグをある強度以上の力で押し込んだときに、ハウジングを係合係止しているシールド部材の曲げ部分が押し戻せないような構造にすることに解決しなければならない課題を有する。
【課題を解決するための手段】
【００１２】
上記課題を解決するために、本発明に係るレセプタクルは、次に示す構成にすることである。
【００１３】
（１）レセプタクルは、プラグを嵌合させたときに、該プラグに設けてある接触端子と電気的な接続をする接続端子を備えたハウジングと、前記ハウジングの外周を覆うように形成されたシールド部材と、からなるレセプタクルであって、前記プラグが嵌合する空間の最奥部に、前記シールド部材の一部をＵ字状に折り返した部位を、前記プラグの差込み方向に対して反対方向から臨ませて配置したことである。
（２）前記プラグの差込み方向に対して反対方向から臨ませて配置してあるシールド部材の一部をＵ字状に折り返した部位は、前記プラグの先端に当接してストッパの機能を有することを特徴とする（１）に記載のレセプタクル。
【発明の効果】
【００１４】
本発明のレセプタクルは、接続端子を備えたハウジングに係止爪で係止されているシールド部材とで構成されているレセプタクルにプラグを差込んだときに、プラグの先端部位がシールド部材の一部に直接当接するようにしたことで、例え、プラグを強く押し込んでも、その押圧力はハウジングにはかからず直接シールド部材にかかるため、係止爪を外してハウジングが抜け出るといった状態を回避することができる。
【発明を実施するための最良の形態】
【００１５】
次に、本発明に係るレセプタクルについて図面を参照して説明する。
【実施例１】
【００１６】
レセプタクルは、図１乃至図６に示すように、直方体形状に形成され金属性部材で形成されたシールド部材１１と、このシールド部材１１で覆われ複数の接続端子２３を備えたハウジング２１とからなる。
【００１７】
シールド部材１１は、金属性板部材を空洞の直方体形状に形成したもので、長手方向両端部の下部位置に舌状に形成したシールド係止爪１２ａ、１２ｂと、頂面にプラグ４０を係止するための小窓からなる一対のプラグ係止窓１３ａ、１３ｂと、短手方向一方端部の上部にハウジング２１を係止するための舌状に形成した一対の第１ハウジング係止爪１４ａ、１４ｂと、側壁面から後方方向に突出して舌状に形成された一対の第２ハウジング係止爪１５ａ、１５ｂと、図１、図３及び図６に示すように、頂面から後方方向で中心位置から右方向にずれた位置から突出させた部材を下方向にＵ字状に折り返した自由端部を、プラグ４０が嵌合する空間の最奥部に臨ませて配置する第１ストッパ１６と、頂面から後方方向で中心位置から左方向にずれた位置から突出させた部材を下方向にＵ字状に折り返した自由端部を、プラグ４０が嵌合する空間の最奥部に臨ませて配置する第２ストッパ１７とから大略構成されている。
【００１８】
ハウジング２１は、絶縁性の樹脂で形成され、略直方体形状に形成され直方体形状のシールド部材１１に差し込み収納できる大きさに形成された本体２２と、本体２２の両端部縁においてシールド部材１１と当接する当接部２６ａ、２６ｂを設け、下部位置が図示しない基板に係合する突部２７ａ、２７ｂを備えた支柱部２８ａ、２８ｂと、図６に示すように、本体２２の一方端部略中央位置から長手方向に沿って鉛直状に突出して形成され、下部面に接続端子２３を臨まして配設した端子受部２４と、図３に示すように、本体２２の中心位置から外れた左右の位置にシールド部材１１の第１及び第２ストッパ１６、１７を収容する端子受部２４側まで切り欠いて形成された第１及び第２ストッパ収容部２５ａ、２５ｂとから大略構成されている。
【００１９】
このようなハウジング２１及びシールド部材１１を組み合わせて構成されるレセプタクルは、先ず、シールド部材１１の背面からハウジング２１の本体２２を端子受部２４を前にしてシールド部材１１の中にシールド部材１１の端部が当接部２６ａ、２６ｂに当接する位置まで押し込んで収納させる(図１及び図２参照)。
そのときに、図６に示すように、第１及び第２ストッパ１６、１７が第１及び第２ストッパ収容部２５ａ、２５ｂに収容され、その第１及び第２ストッパ１６、１７のＵ字状に形成された自由端部が本体２２の則壁面に略面一状態で臨んだ状態で配置される。
そして、一対の第１ハウジング係止爪１４ａ、１４ｂを下方向に折り曲げ、更に一対の第２ハウジング係止爪１５ａ、１５ｂを互いに向き合う方向に折り曲げることで組立ては完成する。
【００２０】
次に、プラグ４０について説明する。プラグ４０は従来技術で説明したものと同様の構造をしており、それは、図７に示すように、シールド部材１１に嵌合できる大きさに形成した前方側が開口の嵌合部４１と、嵌合部４１を支持する連設した基部４２とからなる。
【００２１】
嵌合部４１は、その下部両端部に切欠いたガイド溝４３を備え、その頂面にシールド部材１１のプラグ係止窓１３ａ、１３ｂに係合して抜け止めを兼ねたロック部材４４ａ、４４ｂを備え、内部にハウジング２１の端子受部２４が挿入して係合できる大きさの係合穴４５を設けた構造となっている。
この係合穴４５の下端部には、奥行きに平行に配設した接触端子４６を備えた構造となっている。
【００２２】
このような構造をしたプラグ４０をレセプタクルに差し込むと、シールド部材１１で覆われたハウジング２１の端子受部２４に係合穴４５が嵌合して挿入する。そして、ロック部材４４ａ、４４ｂがシールド部材１１のプラグ係止窓１３ａ、１３ｂに係合するまで押し込むことで差し込みは完了する。この状態のときには、図６に示すように、プラグ４０の先端部分４７ａ、４７ｂは、空間最奥部の第１及び第２ストッパ１６、１７の自由端部に対峙した状態になる。
このような状態において、プラグ４０を押し込むと、その先端が第１及び第２ストッパ１６、１７に当接する。更に強く差し込むと、その先端部分４７ａ、４７ｂが第１及び第２ストッパ１６、１７に当接してシールド部材１１に押圧力が伝達するがハウジング２１には直接伝達しないため、第１及び第２ハウジング係止爪１４ａ、１４ｂ、１５ａ、１５ｂを外して抜け出ることを防止できる。
【産業上の利用可能性】
【００２３】
本発明のレセプタクルは、接続端子を備えたハウジングに係止爪で係止されているシールド部材とで構成されているレセプタクルにプラグを差込んだときに、プラグの先端部位がシールド部材の一部に直接当接するようにしたことで、例え、プラグを強く押し込んでも、その押圧力はハウジングにはかからず直接シールド部材にかかるため、第１及び第２ハウジング係止爪を外してハウジングが抜け出るといった状態を回避することができるレセプタクルを提供する。
【図面の簡単な説明】
【００２４】
【図１】本願発明に係るレセプタクルの斜視図である。
【図２】同、レセプタクルの平面図である。
【図３】同、レセプタクルの正面図である。
【図４】同、レセプタクルの底面図である。
【図５】同、図３におけるＡ−Ａ'線断面図である。
【図６】同、図３におけるＢ−Ｂ'線断面図である。
【図７】プラグの全体斜視図である。
【図８】従来技術におけるレセプタクルの全体斜視図である。
【図９】同、レセプタクルの平面図である。
【図１０】同、レセプタクルの正面図である。
【図１１】同、レセプタクルの底面図である。
【図１２】同、図１０におけるＡ−Ａ'線断面図である。
【図１３】同、図１０におけるＢ−Ｂ'線断面図である。
【符号の説明】
【００２５】
１１；シールド部材、１２ａ；シールド係止爪、１２ｂ；シールド係止爪、１３ａ；プラグ係止窓、１３ｂ；プラグ係止窓、１４ａ；第１ハウジング係止爪、１４ｂ；第１ハウジング係止爪、１５ａ；第２ハウジング係止爪、１５ｂ；第２ハウジング係止爪、１６；第１ストッパ、１７；第２ストッパ、２１；ハウジング、２２；本体、２３；接続端子、２４；端子受部、２５ａ；第１ストッパ収容部、２５ｂ；第２ストッパ収容部、２６ａ；当接部、２６ｂ；当接部、２７ａ；突部、２７ｂ；突部、２８ａ；支柱部、２８ｂ；支柱部、４０；プラグ、４３；ガイド溝、４４ａ；ロック部材、４４ｂ；ロック部材、４５；係合穴、４６；接触端子。
【図１】
2006302821.tif 000003
【図２】
2006302821.tif 000004
【図３】
2006302821.tif 000005
【図４】
2006302821.tif 000006
【図５】
2006302821.tif 000007
【図６】
2006302821.tif 000008
【図７】
2006302821.tif 000009
【図８】
2006302821.tif 000010
【図９】
2006302821.tif 000011
【図１０】
2006302821.tif 000012
【図１１】
2006302821.tif 000013
【図１２】
2006302821.tif 000014
【図１３】
2006302821.tif 000015